(57)【要約】【課題】２次元表示と３次元表示とに適した画像を同時に表示するに際して、２次元表示に適した画像の視認性を確保しつつ、３次元表示を行なうことができる画像表示装置を提供する。【解決手段】２次元表示と３次元表示とが切替え可能な表示部を有する画像表示装置は、表示部に２次元表示と３次元表示とが混合した画像を表示する際に（Ｓ８０４でＹＥＳ）、所定時間、表示部において２次元表示を実行し（Ｓ８０５〜Ｓ８０６）、所定時間経過後（Ｓ８０７でＹＥＳ）、３次元表示へと切り替える（Ｓ８０８）。【選択図】図４
2012175311.tif 000002
【特許請求の範囲】
【請求項１】
２次元表示と３次元表示とが切替え可能な表示手段と、
前記表示手段における２次元表示と３次元表示との切替えを制御するための表示制御手段とを備え、
前記表示制御手段は、前記表示手段において２次元表示を開始した後、予め規定した一定時間が経過すると、前記表示手段の表示を３次元表示へと切り替えるよう制御する、画像表示装置。
【請求項２】
前記表示手段で表示する画像情報を更新するための画像更新手段をさらに備え、
前記表示制御手段は、前記画像更新手段によって更新された画像情報が、３次元画像と２次元画像とが混在した画像情報である場合に、前記表示手段において前記画像情報の２次元表示を開始した後、前記一定時間が経過すると３次元表示へと切り替える、請求項１に記載の画像表示装置。
【請求項３】
前記表示制御手段は、前記画像更新手段によって更新された画像情報が、３次元画像と２次元画像とが混在した画像情報であり、かつ、前記２次元画像が予め規定された特定の画像である場合に、前記表示手段において前記画像情報の２次元表示を開始した後、前記一定時間が経過すると３次元表示へと切り替える、請求項２に記載の画像表示装置。
【請求項４】
前記特定の画像は文字情報を含む画像である、請求項３に記載の画像表示装置。
【請求項５】
前記表示手段は、
前記画像情報に基づく画像を表示するための画像表示部と、
前記画像表示部からの照射光を遮断する位置に設けられた、前記照射光を透過する領域と透過しない領域とが交互に配置された視差バリアとを含み、
前記照射光を透過しない領域は前記照射光を透過する状態と透過しない状態とに可変であって、
前記表示制御手段は、
前記２次元表示の際には前記画像情報に基づく画像を前記画像表示部に表示させ、前記視差バリアの前記照射光を透過しない領域を前記照射光を透過する状態となるように制御し、
前記３次元表示の際には前記画像情報に基づく右目用画像と左目用画像とを前記画像表示部に交互に配置して表示させ、前記視差バリアの前記照射光を透過しない領域を前記照射光を透過しない状態となるように制御する、請求項１〜４のいずれかに記載の画像表示装置。
【請求項６】
２次元表示と３次元表示とが切替え可能な表示部を有する画像表示装置における表示方法であって、
表示対象の画像情報に基づいて前記表示部において２次元表示を開始するステップと、
前記２次元表示の開始からの経過時間を計時するステップと、
前記２次元表示の開始から予め規定した一定時間の経過が検出されると、前記表示部の表示を前記画像情報に基づいて３次元表示へと切り替えるステップとを備える、画像表示方法。
【請求項７】
前記画像情報が３次元画像と２次元画像とが混在した画像情報であるか否かを判別するステップをさらに備え、
前記切り替えるステップでは、前記判別するステップにおいて前記画像情報が３次元画像と２次元画像とが混在した画像情報であると判別された場合に、前記２次元表示の開始から前記一定時間の経過が検出されると前記２次元表示を前記３次元表示へと切り替える、請求項６に記載の画像表示方法。
【請求項８】
２次元表示と３次元表示とが切替え可能な表示部を有する画像表示装置に画像表示処理を実行させるためのプログラムであって、
表示対象の画像情報に基づいて前記表示部において２次元表示を開始するステップと、
前記２次元表示の開始からの経過時間を計時するステップと、
前記２次元表示の開始から予め規定した一定時間の経過が検出されると、前記表示部の表示を前記画像情報に基づいて３次元表示へと切り替えるステップとを前記画像表示装置に実行させる、画像表示プログラム。
【請求項９】
前記画像情報が３次元画像と２次元画像とが混在した画像情報であるか否かを判別するステップをさらに前記画像表示装置に実行させ、
前記切り替えるステップでは、前記判別するステップにおいて前記画像情報が３次元画像と２次元画像とが混在した画像情報であると判別された場合に、前記２次元表示の開始から前記一定時間の経過が検出されると前記２次元表示を前記３次元表示へと切り替える、請求項８に記載の画像表示プログラム。
【発明の詳細な説明】
【技術分野】
【０００１】
この発明は画像表示装置、画像表示方法、および画像表示プログラムに関し、特に、２次元表示と３次元表示とが切替可能な画像表示装置、該画像表示装置における画像表示方法、および該画像表示装置における画像表示プログラムに関する。
【背景技術】
【０００２】
従来より２次元表示と３次元表示とが切替え可能な表示装置が実現されている。
３次元表示を実現する代表的な方法として、視差バリア方式と呼ばれるものがある。たとえば、特開２００５−１７５５６６号公報（特許文献１）、特開平１０−２２４８２５号公報（特許文献２）、特開２００７−１８７８２３号公報（特許文献３）、および特開２００１−８３４５６号公報（特許文献４）など、多くの文献でこの方法が開示されている。
【０００３】
視差バリア方式では、表示画面上にスリット状の視差バリアを配し、左目用と右目用との表示データを交互に配して表示する。
【０００４】
図６は、左目用の表示データと右目用の表示データとを交互に配した様子を示す模式図である。
【０００５】
図７は、表示画像面の前に視差バリアを配した様子を示す模式図である。
視差バリア方式では、図示の通り、視差バリアにより左右の目にそれぞれ独立した画像を見せることによって立体視が可能となる。
【０００６】
さらに、視差バリア方式では、この視差バリア部分を透過制御可能とすることで通常の２次元表示にも使用できる。図８は、視差バリアを透過させた様子を示す模式図である。
【０００７】
これにより、１つの表示部で２次元表示と３次元表示とが切替え可能となっている。
【先行技術文献】
【特許文献】
【０００８】
【特許文献１】特開２００５−１７５５６６号公報
【特許文献２】特開平１０−２２４８２５号公報
【特許文献３】特開２００７−１８７８２３号公報
【特許文献４】特開２００１−８３４５６号公報
【発明の概要】
【発明が解決しようとする課題】
【０００９】
ところで、上記の視差バリア方式では、その原理上、視差バリアを配したスリット方向では、表示の解像度が１／２となる。このため、本来、３次元表示を必要としない画像をこの方法で表示した場合、表示品位が低下するという問題がある。特に、小さな文字情報を表示する場合などに、その影響は顕著である。
【００１０】
図９は、８×８ドットの表示領域を使って、文字「ア」を表示した場合の模式図である。さらに、図１０は、図９の横方向であるｂの方向に沿って視差バリアを配した場合の模式図である。図１０において、ハッチングされたドットは視差バリアにより、どちらか一方の目からは見えないドット部分を表わす。
【００１１】
図１０を参照して、図９の縦方向であるａの方向に関しては８ドット分の解像度のままであるが、ｂの方向に関しては半分の４ドット分の解像度となる。このため、文字の表現等において著しい品位の低下を招く。
【００１２】
従って、上記特許文献１〜４に開示されたような表示装置によって２次元表示と３次元表示とを切り替えると、２次元表示において表示品位が低下するという問題がある。
【００１３】
また、携帯電話端末の待受け画面などでは、待受け画像と呼ばれる画像情報の上に、文字情報やアイコンと呼ばれる簡略図形を同時に表示することが一般的になされている。
【００１４】
待受け画像部分は任意の写真等が設定可能となっており、これに立体視可能な３次元画像を用いることで表現力が広がるという利点が得られる。他方、待受け画像における文字情報やアイコン情報は補助的な情報表示である意味合いが強く、３次元表示による表現力よりも、視認性がよいことの方が重要視される。
【００１５】
たとえば特許文献２や特許文献４は、視差バリア方式を利用して、同一画面内に２次元表示と３次元表示とを混在させて行なう技術を開示している。このような情報が混在する待受け画像を上述のような技術を用いて３次元表示した場合、同時に２次元で表示される文字やアイコン情報は、先の通り１／２の解像度となる。
【００１６】
上述のように、２次元表示は３次元表示に比べて品位が低下するため、表示されるデータによっては、２次元で表示された内容の視認性が著しく低下するという問題があった。
【００１７】
本発明はこのような問題に鑑みてなされたものであって、２次元表示と３次元表示とに適した画像を同時に表示するに際して、２次元表示に適した画像の視認性を確保しつつ、３次元表示を行なうことができる画像表示装置、画像表示方法、および画像表示プログラムを提供することを目的としている。
【課題を解決するための手段】
【００１８】
上記目的を達成するために、本発明のある局面に従うと、画像表示装置は、２次元表示と３次元表示とが切替え可能な表示手段と、表示手段における２次元表示と３次元表示との切替えを制御するための表示制御手段とを備える。表示制御手段は、表示手段において２次元表示を開始した後、予め規定した一定時間が経過すると、表示手段の表示を３次元表示へと切り替えるよう制御する。
【００１９】
好ましくは、画像表示装置は表示手段で表示する画像情報を更新するための画像更新手段をさらに備え、表示制御手段は、画像更新手段によって更新された画像情報が、３次元画像と２次元画像とが混在した画像情報である場合に、表示手段において画像情報の２次元表示を開始した後、一定時間が経過すると３次元表示へと切り替える。
【００２０】
より好ましくは、表示制御手段は、画像更新手段によって更新された画像情報が、３次元画像と２次元画像とが混在した画像情報であり、かつ、２次元画像が予め規定された特定の画像である場合に、表示手段において画像情報の２次元表示を開始した後、一定時間が経過すると３次元表示へと切り替える。
【００２１】
より好ましくは、特定の画像は文字情報を含む画像である。
好ましくは、表示手段は、画像情報に基づく画像を表示するための画像表示部と、画像表示部からの照射光を遮断する位置に設けられた、照射光を透過する領域と透過しない領域とが交互に配置された視差バリアとを含み、照射光を透過しない領域は照射光を透過する状態と透過しない状態とに可変である。表示制御手段は、２次元表示の際には画像情報に基づく画像を画像表示部に表示させ、視差バリアの照射光を透過しない領域を照射光を透過する状態となるように制御し、３次元表示の際には画像情報に基づく右目用画像と左目用画像とを画像表示部に交互に配置して表示させ、視差バリアの照射光を透過しない領域を照射光を透過しない状態となるように制御する。
【００２２】
本発明の他の局面に従うと、画像表示方法は２次元表示と３次元表示とが切替え可能な表示部を有する画像表示装置における表示方法であって、表示対象の画像情報に基づいて表示部において２次元表示を開始するステップと、２次元表示の開始からの経過時間を計時するステップと、２次元表示の開始から予め規定した一定時間の経過が検出されると、表示部の表示を画像情報に基づいて３次元表示へと切り替えるステップとを備える。
【００２３】
好ましくは、画像表示方法は画像情報が３次元画像と２次元画像とが混在した画像情報であるか否かを判別するステップをさらに備え、上記表示部の表示を切り替えるステップでは、３次元画像と２次元画像とが混在した画像情報であるか否かを判別するステップにおいて画像情報が３次元画像と２次元画像とが混在した画像情報であると判別された場合に、２次元表示の開始から一定時間の経過が検出されると２次元表示を３次元表示へと切り替える。
【００２４】
本発明のさらに他の局面に従うと、画像表示プログラムは２次元表示と３次元表示とが切替え可能な表示部を有する画像表示装置に画像表示処理を実行させるためのプログラムであって、表示対象の画像情報に基づいて表示部において２次元表示を開始するステップと、２次元表示の開始からの経過時間を計時するステップと、２次元表示の開始から予め規定した一定時間の経過が検出されると、表示部の表示を画像情報に基づいて３次元表示へと切り替えるステップとを画像表示装置に実行させる。
【００２５】
好ましくは、画像表示プログラムは画像情報が３次元画像と２次元画像とが混在した画像情報であるか否かを判別するステップをさらに画像表示装置に実行させ、上記表示部の表示を切り替えるステップでは、３次元画像と２次元画像とが混在した画像情報であるか否かを判別するステップにおいて画像情報が３次元画像と２次元画像とが混在した画像情報であると判別された場合に、２次元表示の開始から一定時間の経過が検出されると２次元表示を３次元表示へと切り替える。
【発明の効果】
【００２６】
この発明によると、２次元表示と３次元表示とに適した画像を同時に表示するに際して、２次元表示に適した画像の視認性を確保しつつ、３次元表示を行なうことができる。
【図面の簡単な説明】
【００２７】
【図１】実施の形態にかかる画像表示装置の構成を示すブロック図である。
【図２】画像表示装置の表示部の構成の具体例を示す図である。
【図３】画像情報の更新のための動作を実現するために画像表示装置で実行される動作を表わすフローチャートである。
【図４】画像表示のための動作を実現するために画像表示装置で実行される動作を表わすフローチャートである。
【図５】表示部に表示される画像の具体例を示す図である。
【図６】左目用の表示データと右目用の表示データとを、交互に配した様子を示す模式図である。
【図７】表示画像面の前に視差バリアを配した様子を示す模式図である。
【図８】視差バリアを透過させた様子を示す模式図である。
【図９】８×８ドットの表示領域を使って、文字「ア」を表示した場合の模式図である。
【図１０】図９の横方向であるｂの方向に沿って視差バリアを配した場合の模式図である。
【図１１】変形例にかかる画像表示装置で３次元画像と２次元画像とが混在した画像を表示する際の、２次元画像の表示を説明するための図である。
【図１２】変形例にかかる画像表示装置で３次元画像と２次元画像とが混在した画像を表示する際の、２次元画像の表示を説明するための図である。
【発明を実施するための形態】
【００２８】
以下に、図面を参照しつつ、本発明の実施の形態について説明する。以下の説明では、同一の部品および構成要素には同一の符号を付してある。それらの名称および機能も同じである。
【００２９】
＜装置構成＞
図１は、本実施の形態にかかる画像表示装置１００の構成を示すブロック図である。
【００３０】
図１を参照して、画像表示装置１００は、ユーザからの当該画像表示装置１００に対する各種入力操作を受付けるための入力部１１と、画像情報を表示するための表示部１２と、当該画像表示装置１００の動作をプログラムに基づいて実行制御するための中央処理部１３と、上記プログラムや各種情報を記憶するためのメモリ１５とを含む。
【００３１】
これら構成を含む画像表示装置１００は、代表的には、パーソナルコンピュータ（以下、ＰＣ）や、携帯電話端末、情報閲覧装置などの携帯端末、などが該当する。
【００３２】
入力部１１は、利用者が装置に対して各種入力を行なうための構成であればよく、一例として、キーボードやタッチパネルなどが該当する。
【００３３】
表示部１２は、２次元画像および３次元画像を切替可能に表示するための機能として、視差バリア方式を採用した機能を有する。図２は、表示部１２の構成の具体例を示す図である。図２を参照して、表示部１２は、右目用画像と左目用画像とを交互に配列して表示するための右目用画像表示部１２１Ａおよび左目用画像表示部１２１Ｂが交互に配置された画像表示部１２１と、画像表示部１２１からの照射光を遮る位置に配備され、透過部１２２Ａと非透過部１２２Ｂとが交互に配置された視差バリア１２２とを含む。
【００３４】
視差バリア１２２には、好適にはスイッチ液晶が用いられる。スイッチ液晶は、電気的な制御によって、透過部１２２Ａと非透過部１２２Ｂとを形成することができる。さらに、電気的な制御によって非透過部１２２Ｂを透過状態とすることができる。非透過部１２２Ｂが透過状態となることで視差バリア１２２はすべて透過状態となる。この場合、表示部１２では２次元表示が実現される。すなわち、２次元画像および３次元画像を切替可能に表示するための機能の一例として、視差バリア１２２をスイッチ液晶で形成し、その非透過部１２２Ｂを非透過状態または透過状態となるよう電気的に制御する構成が挙げられる。
【００３５】
メモリ１５は特定の構成には限定されない。一例として、図１に示されたように、メモリ１５は、ＲＯＭ（Read Only Memory）やＲＡＭ（Random Access Memory）などであって、中央処理部１３で実行されるプログラムを記憶するための第１メモリ１５１と、ＲＡＭなどの書換え可能なメモリであって、表示部１２に表示するための画像情報等を一時的に記憶するための第２メモリ１５２とを含む。
【００３６】
第２メモリ１５２には、表示部１２に表示するべき画像情報を格納するための画像情報メモリ３１と、表示部１２での表示を２次元表示とするか３次元表示とするかを特定する情報を格納するための表示モードフラグ３２と、画像情報メモリ３１に記憶された画像情報について２次元表示に適した情報（以下、２次元表示用情報または２次元表示用画像と称する）と３次元表示に適した情報（以下、３次元表示用情報または３次元表示用画像と称する）とが混在しているか、混在しないかを特定する情報を格納するための２次元・３次元混在フラグ３３とが含まれる。
【００３７】
表示モードフラグ３２は、後述するように、画像情報メモリ３１に保存された画像情報に応じて決定されるものであり、一例として、表示部１２での表示を３次元表示とするときには「１」、２次元表示とする時には「０」が設定される。
【００３８】
２次元・３次元混在フラグ３３もまた、後述するように、画像情報メモリ３１に保存された画像情報に応じて決定されるものであり、一例として、画像情報に２次元表示用情報と３次元表示用情報とが混在している場合には「１」、混在していない場合には「０」が設定される。
【００３９】
＜動作概要＞
画像表示装置１００では、記憶されている表示部１２に表示するべき画像情報を、アプリケーションの実行などに伴って更新する動作が行なわれる。この動作において、画像表示装置１００では、表示部１２に表示するべき画像情報が更新されるたびに、当該画像情報が２次元表示用のものであるか３次元表示用のものであるか判別され、さらに、２次元表示用情報と３次元表示用情報とが混在したものであるかが判別される。
【００４０】
さらに、画像表示装置１００では、ユーザ指示などの所定のタイミングで、記憶されている画像情報に表示処理を施し、表示部１２に画像を表示する動作が行なわれる。その際、その画像情報についての上記判別結果に従って、２次元表示または３次元表示がなされる。さらに、その際、上記判別によって２次元表示用情報と３次元表示用情報とが混在したものと判別された画像情報については、予め規定した時間２次元表示し、その後、３次元表示する。
【００４１】
＜機能構成＞
上記動作概要で説明された動作を実現するための画像表示装置１００の機能構成について説明する。
【００４２】
さらに、図１を参照して、画像表示装置１００の機能構成として、中央処理部１３は、表示モード切替部２１と、表示制御部２２と、画像情報更新部２３と、各種アプリケーション処理部２４とを含む。これらは、中央処理部１３が第１メモリ１５１に記憶されたプログラムを読み出して実行することにより、主に中央処理部１３によって実現される機能であるが、少なくとも一部が、図１に示された他のハードウェア構成によって実現されてもよい。
【００４３】
表示モード切替部２１は、表示部での表示を、２次元画像を表示するためのモード（以後、２次元モードとも称する）と３次元画像を表示するためのモード（以後、３次元モードとも称する）とに切替えるための機能である。
【００４４】
表示制御部２２は、入力部１１や画像情報更新部２３からの情報に基づき、画像情報メモリ３１に記憶された画像情報に対して表示部１２に表示するための処理を施し、画像を表示させるための機能である。また、表示制御部２２は、図示しない表示部１２の視差バリア１２２の非透過部１２２Ｂを非透過状態または透過状態とするための機能に接続されて、視差バリア１２２の非透過部１２２Ｂを非透過状態または透過状態となるよう電気的に制御する。
【００４５】
画像情報更新部２３は、画像情報メモリ３１に記憶されている画像情報の内容を更新するための機能である。
【００４６】
各種アプリケーション処理部２４は、当該画像表示装置１００における各種アプリケーションの処理を制御するための機能であって、必要に応じて画像情報更新部２３に画像情報の更新を行なわせる。
【００４７】
＜動作フロー＞
図３は、上記動作概要で説明された、画像情報の更新のための動作を実現するために画像表示装置１００で実行される動作を表わすフローチャートである。このフローチャートに表わされた動作は、中央処理部１３が第１メモリ１５１に記憶されたプログラムを読み出して実行し、図１に示された各機能を発揮させることによって実現される。
【００４８】
図３を参照して、各種アプリケーション処理部２４にて実行されているアプリケーションに関する処理が行なわれ、画像情報メモリ３１に記憶されている画像情報の更新が必要となった場合（ステップ（以下、Ｓと略する）７０１でＹＥＳ）、画像情報更新部２３にて当該画像情報を更新する処理が行なわれる（Ｓ７０２）。
【００４９】
画像情報を更新するタイミングとしては、当該画像表示装置１００上で動作する各種アプリケーションに関する処理によって画像情報メモリ３１に記憶されている表示すべき画像に何らかの変更が加えられ、表示内容の更新が必要となる場合全般を指す。
【００５０】
たとえば、当該画像表示装置１００が携帯電話端末である場合、「待受け画面」と呼ばれる予め設定された画像情報を基本的な表示画面として表示することが多い。そして、この待受け画面は、基本となる画像情報と、その画像上に、文字情報やアイコン図形を配した形式がよく用いられる。これらの文字情報や、アイコン図形は、端末内の各種アプリケーション処理に応じて、適宜更新される構成となっている。
【００５１】
より具体的な例としては、メールアプリケーションが新着メールを受信した場合、受信した旨のポップアップを表示部に表示することなどがある。このような場合には、メールアプリケーションを含んだ各種アプリケーション処理部２４が新着メールを受信する処理を実行した際に、画像情報更新部２３に対して表示画像の更新を要求する。
【００５２】
同様の例として、ニュース情報を表示画面にテロップ表示するようなアプリケーションや、電話着信時に通話相手先の名前を表示する電話アプリケーションなどが挙げられる。このような場合には、これらアプリケーションを含んだ各種アプリケーション処理部２４でも、新たなニュース情報を受信する処理を実行した際、または、電話を着信する処理を実行した際に、画像情報更新部２３に対して表示画像の更新を要求する。
【００５３】
また、さらに他の例として、当該画像表示装置１００がいわゆるクラム式と言われる開閉式（折り畳み式）の端末である場合、表示部１２が折り畳んだ内側に位置する場合には閉状態から開状態となったことが検知された際、表示部１２が折り畳んだ外側に位置する場合には開状態から閉状態となったことが検知された際に、画像情報更新部２３に対して表示画像の更新を要求する。
【００５４】
なお、折り畳み式の端末である画像表示装置１００において開閉状態を検知する機構は特定の機構に限定されず、周知の機構を採用することができる。一例として、特開２００１−１８６２２５号公報などに開示されている機構を採用することができる。
【００５５】
画像情報の更新要求があった場合、画像情報更新部２３にて該要求に従って画像情報が更新され、更新後の画像情報が画像情報メモリ３１に保存される（Ｓ７０２）。詳しくは、画像情報更新部２３は各種アプリケーション処理部２４から表示対象の画像情報を受け取り、その画像情報を画像情報メモリ３１に記憶されている画像情報に上書きして更新する、または受け取った画像情報を画像情報メモリ３１に記憶されている画像情報の少なくとも一部に合成して新たな画像情報を生成し画像情報メモリ３１に記憶されている画像情報に上書きして更新する。すなわち、この動作によって画像情報メモリ３１に保存される表示部１２に表示するべき画像情報が更新される。
【００５６】
次に、画像情報更新部２３は、画像情報メモリ３１に保存された画像情報に応じて、表示モードフラグ３２を設定する。具体的には、画像情報メモリ３１に保存された更新後の画像情報が、右目用および左目用の各データで構成される３次元表示に好適な画像情報である場合には（Ｓ７０３でＹＥＳ）、画像情報更新部２３は、３次元表示を有効とするための「１」を設定する（Ｓ７０４）。逆に、画像情報メモリ３１に保存された更新後の画像情報が２次元表示に好適な画像情報のみの場合は（Ｓ７０３でＮＯ）、画像情報更新部２３は２次元表示を有効とするための「０」を設定する（Ｓ７０７）。
【００５７】
次に、画像情報更新部２３では、画像情報メモリ３１に保存された更新後の画像情報の内容に応じて、２次元・３次元混在フラグ３３を設定する。具体的には、更新後の画像情報が２次元表示用情報と３次元表示用情報とが混在した画像情報であった場合は（Ｓ７０５でＹＥＳ）、２次元・３次元混在フラグ３３に「１」を設定する（Ｓ７０６）。そうでない場合は（Ｓ７０５でＮＯ）、「０」を設定する（Ｓ７０８）。
【００５８】
なお、画像情報更新部２３は、画像情報メモリ３１に保存された更新後の画像情報に特定の２次元画像情報が含まれている場合のみに、当該画像情報が２次元表示用情報と３次元表示用情報とが混在しているとして、２次元・３次元混在フラグ３３に「１」を設定するようにしてもよい。「特定の２次元画像情報」の具体例としては、文字情報やアイコン情報などの視認性を重視する情報を含んだ画像情報が挙げられる。
【００５９】
以上の処理は、各種アプリケーション処理部２４からアプリケーションの処理に伴う表示画像の更新が要求されるたびに行なわれる。
【００６０】
なお、以上の処理は、画像情報の更新要求時のみならず、画像情報を新規に作成する場合（たとえば、画像表示装置１００の初回起動時など）も同様に行なわれる。
【００６１】
図４は、上記動作概要で説明された、画像表示のための動作を実現するために画像表示装置１００で実行される動作を表わすフローチャートである。このフローチャートに表わされた動作もまた、中央処理部１３が第１メモリ１５１に記憶されたプログラムを読み出して実行し、図１に示された各機能を発揮させることによって実現される。
【００６２】
図４を参照して、表示制御部２２は図示しない表示タイマを含み、表示開始指示を受けると（Ｓ８０１でＹＥＳ）、該表示タイマをスタートさせる（Ｓ８０２）。
【００６３】
表示タイマとは、表示部１２に、一定時間、画像情報を表示させるためのタイマである。一般に、携帯電話端末等の携帯型端末においては、電池の消費を防ぐために、利用者からの入力指示等が一定時間なければ表示を消すことがなされている。表示タイマは、このような動作を実現するために設定されるタイマを指す。なお、タイマの時間は、固定値としてもよいし、ユーザが任意に設定可能としてもよい。
【００６４】
表示開始指示としては、一例として、表示部１２に最初に画像を表示させるためのユーザの操作が挙げられる。たとえば、ボタン押下やタッチ操作などにより表示部１２での表示を開始する場合には、そのボタン押下やタッチ操作を受付けることが挙げられる。当該画像表示装置１００が開閉構造など形状が変化する構造を備え、図示しない検出機能でその変化させる操作（たとえば開操作）を検出して表示部１２での表示を開始する場合には、その変化させる操作（たとえば開操作）を受付けることが挙げられる。
【００６５】
また表示開始指示の他の例として、表示部１２の画像情報を更新させるためのユーザからの入力指示が挙げられる。たとえば、ボタン押下やタッチ操作などによりアプリケーションが起動したり、別の画面へ遷移したり、フォーカス状態となったりする場合には、その指示のためのボタン押下やタッチ操作を受付けることが挙げられる。
【００６６】
また表示開始指示の他の例として、各種アプリケーション処理により表示部１２の画像が表示される場合には、そのアプリケーションの実行時を指示する入力指示やアプリケーションの実行に応じて表示制御部２２に入力される信号が挙げられる。
【００６７】
これらの表示開始指示を受付けると、表示制御部２２は、上記表示タイマをスタートさせると共に、以降の、表示部１２に最新の画像情報を表示するための表示処理を開始する。
【００６８】
すなわち、表示制御部２２は、表示モードフラグ３２の値を参照し、３次元モードであることを表わす「１」であれば（Ｓ８０３でＹＥＳ）、Ｓ８０４へ進み、２次元モードであることを表わす「０」であれば（Ｓ８０３でＮＯ）、Ｓ８１１へ進む。
【００６９】
Ｓ８０４では、表示制御部２２は、さらに、２次元・３次元混在フラグ３３の値を参照する。２次元・３次元混在フラグ３３の値が表示画像に２次元表示用情報と３次元表示用情報が混在していることを表わす「１」であれば（Ｓ８０４でＹＥＳ）、Ｓ８０５へ進む。これら情報が混在していない、つまり表示画像が３次元表示用情報のみであることを表わす「０」であれば（Ｓ８０４でＮＯ）、Ｓ８０８へ進む。
【００７０】
表示制御部２２は、さらに図示しない２次元表示タイマを含み、表示対象の画像情報が２次元表示用情報と３次元表示用情報とが混在しているものである場合に、Ｓ８０５で２次元表示タイマをスタートさせた上でＳ８０６へ進む。２次元表示タイマとは、３次元モードでの表示を行なう際に、表示部１２を、一定時間、２次元モードとするためのタイマである。なお、タイマの時間は、固定値としてもよいし、ユーザが任意に設定可能としてもよい。
【００７１】
Ｓ８０６では、表示制御部２２は、表示モード切替部２１に表示部１２の表示を２次元モードに切り替えさせ、以後、２次元表示タイマが満了するまで（Ｓ８０７でＮＯ）、２次元モードでの表示を一定時間続ける。
【００７２】
２次元モードでの表示のための具体的な動作として、表示制御部２２は、画像表示部１２１に画像情報メモリ３１に記憶される画像情報に基づいた画像を表示させると共に、視差バリア１２２の非透過部１２２Ｂを透過状態とするように電気的に制御する。これにより、視差バリア１２２は全面が透過状態となって画像表示部１２１に表示された画像が全方向に表示されることになる。
【００７３】
２次元表示タイマが満了したら（Ｓ８０７でＹＥＳ）、表示制御部２２は、表示モードフラグ３２の値に従って表示モード切替部２１に表示部１２の表示を３次元モードに切り替えさせ、３次元モードで表示する（Ｓ８０８）。
【００７４】
３次元モードでの表示のための具体的な動作として、表示制御部２２は、画像表示部１２１に画像情報メモリ３１に記憶される画像情報に基づいた画像を表示させると共に、視差バリア１２２の非透過部１２２Ｂを非透過状態とするように電気的に制御する。これにより、視差バリア１２２は透過状態であると透過部１２２Ａと非透過状態である非透過部１２２Ｂとが交互に配置された状態となり、画像表示部１２１に交互に表示された右目用画像と左目用画像とがそれぞれの方向に表示されることになる。
【００７５】
以後、Ｓ８０３でスタートさせた表示タイマが満了するまで（Ｓ８０９でＮＯ）、３次元モードでの表示を続ける。
【００７６】
表示タイマが満了したら（Ｓ８０９ＹＥＳ）、表示制御部２２は、表示を終了する（Ｓ８１０）。そしてそれ以降、次の表示開始指示があるまで（Ｓ８０１でＮＯ）、待ち状態となる。
【００７７】
上記Ｓ８０３で表示モードフラグ３２の値が「０」であり、２次元モードである場合、つまり、表示対象の画像情報が２次元表示用情報のみである場合には、Ｓ８１１で表示制御部２２は、表示モードフラグ３２の値に従って表示モード切替部２１に表示部１２の表示を２次元モードに切り替えさせ、以後、表示タイマが満了するまで（Ｓ８１２でＮＯ）、２次元モードでの表示を続ける。
【００７８】
表示タイマが満了したら（Ｓ８１２でＹＥＳ）、表示制御部２２は表示を終了する（Ｓ８１０）。
【００７９】
以上の動作の具体例として、携帯電話端末である画像表示装置１００において、待受け画像と言われる予め設定された画像が表示部１２に表示されている状態で電話の着信があったときの画像表示について説明する。なお、ここで、待受け画像が３次元画像であるものとする。
【００８０】
この場合、画像表示装置１００において電話アプリケーションを含んだ各種アプリケーション処理部２４が電話の着信を受ける処理を実行すると、各種アプリケーション処理部２４は、３次元画像の待受け画像上に、その旨を表わすアイコンと、通話相手先の名前等の情報を示すポップアップとを表示するために画像情報の更新を画像情報更新部２３に対して要求する。
【００８１】
ここで、待受け画像は３次元画像情報であり、アイコンおよびポップアップは２次元画像情報である。そのため、画像情報更新部２３での処理によって、画像情報メモリ３１に記憶される画像情報は、右目用画像と左目用画像とを含んだ待受け画像のための３次元表示情報と、待受け画像の一部分を２次元表示とするための２次元表示用情報とが混在したものとなる。そして、上記画像の更新する動作によって更新された画像情報についての２次元・３次元混在フラグは、混在していることを示す「１」が設定される。
【００８２】
図５は、この場合に表示部１２に表示される画像の具体例を示す図である。待受け画像が３次元画像情報であるため表示モードフラグ３２は３次元モードを表わす「１」であるが、２次元・３次元混在フラグが「１」であることから、表示制御部２２はこの画像情報の表示を実行する際に、２次元表示タイマで規定される時間分、２次元モードで表示させる。
【００８３】
図５（Ａ）は２次元モードでの表示の具体例を示す図である。２次元モードでの表示の際、視差バリア１２２は全面が透過状態となる。そのため、３次元画像である待受け画像の部分は右目用画像と左目用画像とが交互に配置された画像表示部１２１の表示状態のまま全方向に表示されることになるが、アイコンおよびポップアップの部分は２次元画像が全方向に表示されることになる。
【００８４】
次に、２次元表示タイマで規定される時間が終了すると、表示制御部２２は３次元モードで表示させる。図５（Ｂ）は３次元モードでの表示の具体例を示す図である。３次元モードでの表示の際、視差バリア１２２は透過状態である透過部１２２Ａと非透過状態である非透過部１２２Ｂとが交互に配置された状態となる。そのため、３次元画像である待受け画像の部分は右目用画像と左目用画像とがそれぞれの方向に表示されて３次元表示となり、アイコンおよびポップアップの部分は同一の画像がそれぞれの方向に表示されて２次元表示となる。
【００８５】
ただし、３次元モードでのアイコンおよびポップアップの部分の表示の解像度は、視差バリアを全面透過状態として２次元表示する場合と比較して表示の１／２となる。すなわち、この場合のアイコンおよびポップアップの表示の品位は視差バリアを全面透過状態として２次元表示する場合と比較して多少低下する。
【００８６】
＜実施の形態の効果＞
画像表示装置１００で以上の動作が行なわれることで、アプリケーションの実行等に従って表示対象となる画像情報が更新されるたびに、当該画像の表示モードが判別されて、適切な表示モードで表示される。その際、表示対象の画像情報が２次元表示用の画像情報と３次元表示用の画像情報とが混在するものである場合、表示モードとしては３次元モードとされるものの、表示開始から予め設定された一定時間、２次元モードで表示された後、３次元モードで表示される。
【００８７】
これにより、ユーザは、当該画像表示装置１００において、２次元表示用情報と３次元表示用情報とが混在した画像情報を閲覧する際に、高品位で２次元画像を閲覧し、その後、３次元画像を３次元モードで閲覧することができる。すなわち、画像表示装置１００では２次元表示用情報と３次元表示用情報とが混在した画像情報を表示する動作において、一定時間、２次元表示に好適な画像部分の視認性が確保される。
【００８８】
＜変形例＞
なお、上に説明された画像表示装置１００では、画像情報メモリ３１に記憶される画像情報、つまり表示対象の画像が３次元画像と２次元画像とが混在したものである場合、２次元表示タイマで規定される時間分、視差バリア１２２を全面透過状態として２次元モードで表示させ（図５（Ａ））、その後、視差バリア１２２を透過部１２２Ａと非透過部１２２Ｂとが交互に配置された状態として３次元モードで表示させるものとしている。このとき、上述のように、３次元モードでの表示ではアイコンやポップアップなどの２次元画像の表示の解像度が２次元表示する場合と比較して１／２となるために、表示の品位が多少低下することになる。
【００８９】
そこで、変形例にかかる画像表示装置１００では、表示対象の画像が３次元画像と２次元画像とが混在したものである場合、つまり、２次元・３次元混在フラグが「１」である場合、２次元画像情報から３次元表示可能なように左目用画像と右目用画像とを生成する。左目用画像と右目用画像とは、元の２次元画像を予め記憶されている視差分、左右にずらすことで生成される。
【００９０】
図１１および図１２は、変形例にかかる画像表示装置１００で３次元画像と２次元画像とが混在した画像を表示する際の、２次元画像の表示を説明するための図である。
【００９１】
すなわち、変形例にかかる画像表示装置１００では、２次元・３次元混在フラグが「１」である場合に、表示制御部２２は、画像情報メモリ３１に記憶される画像情報のうちの２次元表示用情報を、予め記憶されている視差分、左右にずらすことで、左目用画像と右目用画像とを生成する。そして、２次元画像の表示領域に左目用画像と右目用画像とを視差バリア１２２の応じて交互に並べた画像を表示させる。図１１（Ａ）は左目用画像に基づく画像を表わし、図１１（Ｂ）は右目用画像に基づく画像を表わしている。ここでは、文字「ア」を表示する例が示されている。
【００９２】
表示制御部２２は、２次元表示タイマが満了するまで視差バリア１２２の非透過部１２２Ｂを透過状態とするように電気的に制御することで、２次元モードでの表示を実行させる。すなわち、この場合、視差バリア１２２は全面透過状態となる。
【００９３】
図１１（Ａ）で表わされた左目用画像と図１１（Ｂ）で表わされた右目用画像とが交互に並んだ画像が表示部１２に表示されて視差バリア１２２は全面透過状態となることで、表示部１２には図１２に示されるような表示がなされることになる。
【００９４】
この後、２次元表示タイマが満了すると、表示制御部２２が視差バリア１２２の非透過部１２２Ｂを非透過状態とするように電気的に制御することで、３次元モードでの表示に移行する。このとき、表示部１２に図１１（Ａ）で表わされた左目用画像と図１１（Ｂ）で表わされた右目用画像とが交互に並んだ画像が表示されていることで、２次元画像であった画像は３次元画像として表示されることになる。すなわち、３次元画像である待受け画像に重ねて、アイコンおよびポップアップが３次元画像として表示されることになる。
【００９５】
変形例にかかる画像表示装置１００がこのように動作することで、３次元モードでアイコンやポップアップなどの２次元画像であった画像の３次元で表示されることになり、これらの表示の品位を低下させることがない。
【００９６】
なお、この場合、視差バリア１２２は全面透過状態となっている２次元モードで、左右の目にそれぞれ左目用画像、右目用画像が投影されるために、左右の目で多少ずれて重なっているように見える可能性はある。しかしながら、本例では、２次元画像がアイコンやポップアップなどの文字情報であると想定されているため、違和感は小さいと考えられる。従って、変形例にかかる画像表示装置１００では、３次元モード表示でのアイコンやポップアップなどの２次元画像の表示の品位が低下することを抑えることができる。
【００９７】
さらに、画像表示装置に上述の動作を実行させるためのプログラムとして提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００９８】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００９９】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１００】
提供されるプログラム製品は、ハードディスクなどのプログラム格納部にインストールされて実行される。なお、プログラム製品は、プログラム自体と、プログラムが記録された記録媒体とを含む。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０２】
１１  入力部、１２  表示部、１３  中央処理部、１５  メモリ、２１  表示モード切替部、２２  表示制御部、２３  画像情報更新部、２４  各種アプリケーション処理部、３１  画像情報メモリ、３２  表示モードフラグ、３３  次元混在フラグ、１００  画像表示装置、１２１  画像表示部、１２１Ａ  右目用画像表示部、１２１Ｂ  左目用画像表示部、１２２  視差バリア、１２２Ａ  透過部、１２２Ｂ  非透過部、１５１  第１メモリ、１５２  第２メモリ。
【図１】
2012175311.tif 000003
【図２】
2012175311.tif 000004
【図３】
2012175311.tif 000005
【図４】
2012175311.tif 000006
【図５】
2012175311.tif 000007
【図６】
2012175311.tif 000008
【図７】
2012175311.tif 000009
【図８】
2012175311.tif 000010
【図９】
2012175311.tif 000011
【図１０】
2012175311.tif 000012
【図１１】
2012175311.tif 000013
【図１２】
2012175311.tif 000014